(57)【要約】【課題】マンション等の構造体内において、ラジオ放送の電波の受信品質を改善して良好な聴取を可能にするラジオ放送受信装置を提供する。【解決手段】ラジオ放送受信装置１は、中波ラジオ放送を受信し、受信信号を増幅する増幅器を備えた受信部１０と、ラジオ受信機に対して密着設置可能であり、受信部１０で受信した受信信号をラジオ受信機に放射するように、渦巻き状のループアンテナ４１を具備したＰＡＤ部４０と、受信部１０に電流供給する電源部３０と、受信部１０、ＰＡＤ部４０、電源部３０を接続する接続ケーブル６０と、を有している。ループアンテナ４１の一端側は、接続ケーブルを介して電源部３０に接続されて受信部からの受信信号が入力され、他端側は、終端抵抗４２に接続されていることを特徴とする。【選択図】  図１
0003214238.tif 000002
【実用新案登録請求の範囲】
【請求項１】
中波ラジオ放送を受信し、受信信号を増幅する増幅器を備えた受信部と、
ラジオ受信機に対して密着設置可能であり、前記受信部で受信した受信信号をラジオ受信機に放射するように、渦巻き状のループアンテナを具備したＰＡＤ部と、
前記受信部に電流供給する電源部と、
前記受信部、ＰＡＤ部、電源部を接続する接続ケーブルと、
を有し、
前記ループアンテナの一端側は、前記接続ケーブルを介して電源部に接続されて前記受信部からの受信信号が入力され、他端側は、終端抵抗に接続されていることを特徴とするラジオ放送受信装置。
【請求項２】
前記受信部は、複数の放送局を選択可能な選局用同調回路と、音声モニタを可能とする復調部と、放送局受信時の同調操作を支援するＬＥＤ表示部と、を有することを特徴とする請求項１に記載のラジオ放送受信装置。
【請求項３】
前記受信部及び電源部間に接続ケーブルを介して接続され、前記中波ラジオ放送の受信信号と、屋内に配設された共同受信設備の壁端子に接続されてＦＭ放送の受信信号を合成する合成機能を備えた合成部を更に有することを特徴とする請求項１又は２に記載のラジオ放送受信装置。
【請求項４】
前記電源部は、直流電源と、直流電源からの高周波を阻止する高周波阻止回路と、前記受信信号の直流成分をカットして前記ＰＡＤ部に送信する直流阻止回路と、を有することを特徴とする請求項１から３のいずれか１項に記載のラジオ放送受信装置。
【請求項５】
前記ループアンテナは、基板に渦巻き状のパターンをプリントして形成されることを特徴とする請求項１から４のいずれか１項に記載のラジオ放送受信装置。
【請求項６】
前記接続ケーブルは、５００ＫＨｚから１００ＭＨｚまでの周波数帯域の受信信号を伝送すると共に、前記電源部からの電源を重畳して送信する機能を備えたものであることを特徴とする請求項１から５のいずれか１項に記載のラジオ放送受信装置。
【考案の詳細な説明】
【技術分野】
【０００１】
本考案は、少なくとも中波ラジオ放送の受信品質の劣化を改善することが可能なラジオ放送受信装置に関する。
【背景技術】
【０００２】
一般的に市販されているラジオを聴取するに際し、聴取する場所によって受信状況が悪くなるという問題がある。例えば、マンションのような鉄筋コンクリート構造物内において、リビングルームなど、大きな窓がある場所では、放送電波の受信状況が良好な場合が多いが、窓のような解放部が少なく、鉄筋コンクリートの壁面に囲われた寝室等の部屋、或いは、窓があっても奥まった地点では、電波が減衰して受信状況が悪くなることが多い。
【０００３】
また、最近の大都市では、放送受信環境の悪化対策として、中波ラジオより雑音に強いＦＭ放送で、中波ラジオ放送と同じ番組を放送する放送局が放送を開始しているが、マンション内でＦＭ放送波を直接受信しようとしても、超短波帯のＦＭ放送波は中波波帯より減衰が大きくなってしまい受信が困難となる。
そのため、マンション等では、共同受信設備を設置してテレビやＦＭ放送の電波を各居室に伝送している。
【考案の概要】
【考案が解決しようとする課題】
【０００４】
上記したような受信状況の悪化の対策として、受信環境の良いリビングやベランダに大型の受信アンテナを設置して、寝室等に受信信号を送信することも考えられるが、ラジオ受信機にアンテナ端子が無いため、良質な受信信号をラジオに供給することはできない。この場合、ラジオ受信機に電線を巻き付けるなどの手段で信号の伝達を実施する例も見られるが、このような信号伝達方法は不安定で伝送損失も大きいため、より安定した損失の少ないラジオ受信機への信号供給手段が求められている。
【０００５】
また、マンション等の室内に、共同受信設備の壁端子が設置されていても、通常のラジオ受信機にアンテナの入力端子が取り付けられていないため、ＦＭ放送を聴取することができず、この解決策も要望されている。
【０００６】
本考案は、上記した問題に着目してなされたものであり、マンション等の構造体内において、ラジオ放送の電波の受信品質を改善して良好な聴取を可能にするラジオ放送受信装置を提供することを目的とする。
【課題を解決するための手段】
【０００７】
上記した目的を達成するために、本考案に係るラジオ放送受信装置は、中波ラジオ放送を受信し、受信信号を増幅する増幅器を備えた受信部と、ラジオ受信機に対して密着設置可能であり、前記受信部で受信した受信信号をラジオ受信機に放射するように、渦巻き状のループアンテナを具備したＰＡＤ部と、前記受信部に電流供給する電源部と、前記受信部、ＰＡＤ部、電源部を接続する接続ケーブルと、を有し、前記ループアンテナの一端側は、前記接続ケーブルを介して電源部に接続されて前記受信部からの受信信号が入力され、他端側は、終端抵抗に接続されていることを特徴とする。
【０００８】
上記した構成では、中波ラジオ放送を受信する受信部を、受信環境の良い位置に設置することで、受信信号は増幅されてケーブル接続されたＰＡＤ部に伝送される。ＰＡＤ部は、通常のラジオ受信機に密着するように配設され、ＰＡＤ部に設けられたループアンテナは、ケーブルを介して伝送されたラジオ放送の受信信号を電磁波として輻射し、ラジオ受信機に組み込まれている内臓バーアンテナと結合して受信信号の受け渡しが行われ、ラジオ受信機では、建物等の構造体に影響を受けない中波ラジオ放送の受信信号が得られる。したがって、ラジオ受信機が電波状況の悪い位置にあったとしても、受信部を電波の受信環境の良い位置に設置するだけで、受信状況が改善され良好な状態でラジオ放送を聴取することが可能となる。
【０００９】
なお、複数局のラジオ放送を受信したい場合は、上記した受信部を、放送局の特定周波数毎に設置しても良いし、１つの受信部に、複数の放送局を選択可能な選局用同調回路と、音声モニタを可能とする復調部と、放送局受信時の同調操作を支援するＬＥＤ表示部と、を備えたものであっても良い。すなわち、聴取者は、復調部による音声、及び、ＬＥＤ表示部によって放送局を容易に選択することが可能であり、好みの放送局を選択してラジオ受信機側に伝送するように構成しても良い。
【００１０】
また、上記したラジオ放送受信装置は、受信部及び電源部間に接続ケーブルを介して接続され、中波ラジオ放送の受信信号と、屋内に配設された共同受信設備の壁端子に接続されてＦＭ放送の受信信号を合成する合成機能を備えた合成部を更に有していても良い。このような構成では、聴取者は、ＡＭ放送に加え、更に、ＦＭ放送を聴取することも可能となる。
【考案の効果】
【００１１】
本考案のラジオ放送受信装置によれば、マンション等の構造体内において、ラジオ放送の電波の受信品質を改善して良好な聴取が可能になる。
【図面の簡単な説明】
【００１２】
【図１】本考案に係るラジオ放送受信装置の一構成例を示すブロック図。
【考案を実施するための形態】
【００１３】
以下、図１を参照しながら、本考案に係るラジオ放送受信装置（以下、受信装置と称する）の実施形態について説明する。
本実施形態に係る受信装置１は、中波ラジオ放送を受信する受信部１０と、中波ラジオ放送の信号（ＡＭ信号）と共聴設備で伝送されるＦＭラジオ放送の信号（ＦＭ信号）を合成する合成部２０と、受信部１０に対して電源供給する電源部３０と、ラジオ受信機（図示しない）に対して密着設置可能であり、受信部１０で受信した受信信号（本実施形態では、合成部２０から伝送される受信信号）をラジオ受信機に放射するＰＡＤ部４０と、を備えている。
【００１４】
すなわち、本実施形態では、性能の良い受信部１０で受信した中波ラジオ信号と、後述するように、共聴設備に接続（マンション等の屋内に配設された共同受信設備の壁端子に接続）されて伝送されるＦＭ信号を合成部２０で合成し、その合成信号をＰＡＤ部４０からラジオ受信機に伝送するように構成されている（ＡＭ放送とＦＭ放送の受信改善を図る）。この場合、ＦＭ信号を受信しない構成であれば合成部２０は不要となり、受信部１０は接続ケーブルで電源部３０に接続される。
【００１５】
前記受信部１０には、受信信号を増幅する増幅器１２が組み込まれており、受信した信号を増幅（例えば、５０ｄＢ程度増幅）して出力する機能を備えている。また、受信部１０は、１つの放送局のみを受信できるように構成しても良いが、複数の放送局を選択して受信機能を備えていても良い。この場合、聴取を希望する放送局毎に対応して複数の受信部１０，１０Ａ，１０Ｂ…を設置するようにしても良いし、１つの受信部でそのような選局機能を持たせても良い。
【００１６】
選局機能を持たせる場合、フェライトバーアンテナ１１ａを具備する選局用同調回路１１でラジオ放送局の電波を選局受信し（選局用同調回路のＱは、無負荷時で２００程度は必要である）、その受信信号を増幅器１２で増幅して合成部２０に伝送するようにしている。また、使用者がラジオ放送局の電波の受信に当たり、選局用同調回路１１の操作を簡単・正確にできるように、放送局の電波に同調できた時に輝くＬＥＤ表示と、復調した放送内容をイヤホーンで聞くことのできるモニタ機能を備えている。
すなわち、受信部１０は、選局操作が行い易いように、音声モニタを可能とする復調部１４と、放送局受信時の同調操作を支援するＬＥＤ表示部１５とを備えている。前記増幅器１２のデバイスは、電源部に用いられる電池に配慮しており、トランジスタを使用した際の合成音声モニタと同調表示は、選局時の操作を支援するように、音やＬＥＤの光で同調点を示す。
【００１７】
なお、特定の放送局に選局用同調回路１１を固定しておくことで、より操作が簡単で安価に受信部を提供することも可能となる。図１では、個別の放送局に特化するように受信部を複数台使用する（受信部１０，１０Ａ，１０Ｂ）例についても示しており、それに対応する合成部２０は、各受信部からの入力される３つの入力端子２０ａ，２０ｂ，２０ｃを備え、例えば受信局が異なる受信部の出力を３個まで受け入れ、中波合成増幅器２２において各部からの信号を合成するようにしている。この場合、中波合成増幅器２２は、そこに入力された信号が他の受信部に戻り、不要信号発生などの影響を及ぼさないよう出力信号相互間の分離度を２０ｄＢ以上確保できる機能（混変調等による妨害成分の発生を抑制する機能）を備えている。このため、各受信部における増幅器についても、混変調特性に配慮した特性を備えたものを使用することが好ましい。
【００１８】
合成部２０は、マンション等の屋内に配設された共同受信設備の壁端子２４からＦＭ信号をＦＭ入力端子２０ｄで受けるように構成されており、ＡＭ信号とＦＭ信号が相互に影響することなく、それぞれにフィルタを挿入して合成機能を持たせるようにしている。すなわち、壁端子２４から入力される信号は、ＦＭ波の周波数帯域は通過するが、中波帯域の信号の通過を阻止するハイパスフィルタ（ＨＰＦ）２５を通り、中波合成増幅器２２からの信号と合成されて合成出力端子に出力される。また、中波合成増幅器２２からの出力信号は、中波帯域の信号は通過するが、ＦＭ波の周波数帯域の信号の通過を阻止するローパスフィルタ（ＬＰＦ）２６を通って、上記のハイパスフィルタ２５を通過したＦＭ信号と合成される。この合成部における入出力間の各信号の利得はなく入力レベルと同じレベルが出力される。
【００１９】
前記電源部３０は、受信部１０及び合成部２０に対して安定した直流電流を供給すると共に、微弱な電波を受信することから、電源に重畳する雑音や妨害波のレベルを極力少なくし、受信部での受信機能に妨害を与えない機能を備えたものであれば良く、直流電源３２と、高周波阻止回路３３と、直流阻止回路３５とを備えている。直流電源３２は、例えば、単三乾電池２本（３Ｖ）で構成することができ、合成部２０及び受信部１０に対しては、高周波阻止回路３３で高周波成分をカットして１０ｍＡ以下の電流を流すようにしている。また、合成部２０から入力される信号は、電源部３０に入力されて直流阻止回路３５で直流成分をカットしてＰＡＤ部４０に送信される。
【００２０】
上記した受信部１０、合成部２０、電源部３０及びＰＡＤ部４０は、接続ケーブルによって接続される。この接続ケーブル６０は、受信信号と直流電流を重畳した場合でも直流抵抗損失が極力小さく、中波帯から超短波帯の信号（５００ＫＨｚから１００ＭＨｚまでの周波数帯域の受信信号）を損失無く伝送する特性を有していれば良い。また、外部から雑音や不要電波の混入を遮断し、直流電流の損失が少なく、線径が細く、軽量かつ丈夫で可撓性に富む（室内での引き回しに耐えられる）機能を備えたものであることが好ましい。具体的には、５０Ω  ０．８Ｄ−２Ｖ同軸ケーブルを使用することが可能である。
【００２１】
前記ＰＡＤ部４０は、合成部２０から送信される受信信号をラジオ受信機に放射する機能を備えている。具体的には、ＰＡＤ部４０は、ラジオ受信機に対して密着設置可能であり、合成部２０からの受信信号をラジオ受信機に放射するように、渦巻き状のループアンテナ４１を備えている。このループアンテナ４１の一端側は、接続ケーブル６０のホット端に接続されて電源部３０を介して合成部２０からの受信信号が入力されるようになっており、他端側は、終端抵抗４２を介して接続ケーブル６０のアース端に接続されている。
【００２２】
ループアンテナ４１の一端側とＰＡＤ部４０の入力端子との間には、３ｄＢ減衰器４４が設置されている。この３ｄＢ減衰器４４は、前記壁端子２４からＦＭ信号を受信装置１で受け取る際に、壁端子から見たインピーダンスが大きく変動しないように安定化させる機能を備えている。また、３ｄＢ減衰器４４に並列してスイッチ４５が設けられている。このスイッチ４５は、中波ラジオの信号のみをＰＡＤ部に送る場合、３ｄＢ減衰器４４の役割は不要となるため、中波信号のラジオ受信機への伝送効率を高めるように短絡する機能を備えている。
【００２３】
また、ループアンテナ４１の他端側は、前記終端抵抗４２を介して、ＰＡＤ部の入力端子のアース側に接続されている。この場合、ＰＡＤ部での伝送効率を高めるために、終端抵抗４２の値は１２０〜１８０Ωの値が適している。
【００２４】
前記ループアンテナ４１は、例えば、非導電性の部材（樹脂等）で形成された基板に、導体によって渦巻き状のパターン（３〜１０回程度の巻き数とされ、伝送効率を高めるために４回程度の巻き数が好ましい）をプリント（エッチング）して形成することが可能である。ＰＡＤ部４０の大きさについては、Ｂ４版〜切手大で構成することが可能であるが、ラジオ受信機への信号伝達効率を高めるためには名刺大が適当である。切手大の大きさにすると小型化する上で好ましいが、名刺大よりも伝送効率が６ｄＢ程度低下する。
【００２５】
上記したループアンテナ４１にＡＭ信号・ＦＭ信号の信号電圧が印加されると、終端抵抗４２を経て進行波電流が流れ、電磁界波が発生する。すなわち、ＡＭ信号は、ラジオ受信機の内蔵バーアンテナとループアンテナ４１に発生した磁界が結合することで信号の受け渡しが行われる。また、ＦＭ信号は、ラジオ受信機のホイップアンテナとループアンテナとの間で主に静電容量によってＦＭ信号の受け渡しが行われる。
【００２６】
このように、ＰＡＤ部４０とラジオ受信機との間では、主に磁界または電界による信号の受け渡しが行われるため、ＰＡＤ部４０からの電波の輻射は小さな値を示し、ＰＡＤ部４０に通常の使用時の信号レベルで出力印加した場合でも、ＰＡＤ部４０からの電波放射は電波法の微小電力利用施設の規格以下のレベルで使用することが可能である。すなわち、ＰＡＤ部４０は、ラジオ受信機に密着させる（例えば、ケースの側面に両面テープなどで貼り付ける）ことにより、増幅器等を介することなく、効率的・効果的に良好にラジオ放送局の電波を受信することが可能となる。
【００２７】
上記した受信装置１によれば、以下のような作用効果を得ることができる。  
マンションなどの鉄筋コンクリート構造物内でラジオ放送やＦＭ放送が受信困難な室内において受信装置１を使用することで、誰でも安価で簡単に聴取が可能になる。
マンションなどの共同受信設備の壁端子に送られているＦＭ放送の信号を、受信装置１を使用することで、一般のラジオ受信機に伝送してＦＭ放送の聴取が可能になる。また、ＦＭ放送のみを聴取する場合は、ＰＡＤ部４０のみで簡単・安価に実施できる。
ＰＡＤ部４０から輻射される電磁波強度は、電波法の微小電力利用設備の規格以下となるため、無線局免許を必要としない。
受信装置１は、小型・軽量で構成することができ、接続ケーブル６０で各部を接続するため、設置場所の確保や移動が簡単に行える。
【符号の説明】
【００２８】
１  受信装置
１０  受信部
２０  合成部
３０  電源部
４０  ＰＡＤ部
４１  ループアンテナ
６０  接続ケーブル
【図１】
0003214238.tif 000003